(57)【特許請求の範囲】
【請求項１】
板状の発光部材と、
金属感を付与する材料からなり、前記発光部材からの光が出射する多数の出射口が開口されて前記発光部材の上方に配置されているとともに、導電性材料の部分を含み、グラウンド電位に接続されている表示板と、
を備えていることを特徴とする表示装置。
【請求項２】
板状の発光部材と、
金属感を付与する材料からなり、前記発光部材からの光が出射する多数の出射口が開口されて前記発光部材の上方に配置されている表示板と、
この表示板の上方に配置された、加飾された光透過性のフィルム部材と、
を備えていることを特徴とする表示装置。
【請求項３】
板状の発光部材と、
金属感を付与する材料からなり、前記発光部材からの光が出射する多数の出射口が開口されて前記発光部材の上方に配置されている表示板と、
前記出射口に対応した表示板の内部に設けられた、金属からなる目隠し壁と、
を備えていることを特徴とする表示装置。
【請求項４】
板状の発光部材と、
金属感を付与する材料からなり、前記発光部材からの光が出射する多数の出射口が開口されて前記発光部材の上方に配置されているとともに、導電性材料の部分を含み、グラウンド電位に接続されている表示板と、
この表示板の上方に配置された液晶表示部材と、
を備えていることを特徴とする表示装置。
【請求項５】
板状の発光部材と、
金属感を付与する材料からなり、前記発光部材からの光が出射する多数の出射口が開口されて前記発光部材の上方に配置されている表示板と、
前記出射口に対応した表示板の内部に設けられた、金属からなる目隠し壁と、
前記表示板の上方に配置された液晶表示部材と、
を備えていることを特徴とする表示装置。
【請求項６】
板状の発光部材と、
金属感を付与する材料からなり、前記発光部材からの光が出射する多数の出射口が開口されて前記発光部材の上方に配置されているとともに、導電性材料の部分を含み、グラウンド電位に接続されている表示板と、
この表示板の上方に配置された、加飾された光透過性のフィルム部材と、
を備えていることを特徴とする表示装置。
【請求項７】
板状の発光部材と、
金属感を付与する材料からなり、前記発光部材からの光が出射する多数の出射口が開口されて前記発光部材の上方に配置されている表示板と、
前記出射口に対応した表示板の内部に設けられた、金属からなる目隠し壁と、
前記表示板の上方に配置された、加飾された光透過性のフィルム部材と、
を備えていることを特徴とする表示装置。
【請求項８】
板状の発光部材と、
金属感を付与する材料からなり、前記発光部材からの光が出射する多数の出射口が開口されて前記発光部材の上方に配置されているとともに、導電性材料の部分を含み、グラウンド電位に接続されている表示板と、
前記出射口に対応した表示板の内部に設けられた、金属からなる目隠し壁と、
前記表示板の上方に配置された液晶表示部材と、
を備えていることを特徴とする表示装置。
【請求項９】
板状の発光部材と、
金属感を付与する材料からなり、前記発光部材からの光が出射する多数の出射口が開口されて前記発光部材の上方に配置されているとともに、導電性材料の部分を含み、グラウンド電位に接続されている表示板と、
前記出射口に対応した表示板の内部に設けられた、金属からなる目隠し壁と、
前記表示板の上方に配置された、加飾された光透過性のフィルム部材と、
を備えていることを特徴とする表示装置。
【請求項１０】
板状の発光部材と、金属感を付与する材料からなり前記発光部材からの光が出射する多数の出射口が開口されて前記発光部材の上方に配置されているとともに、導電性材料の部分を含み、グラウンド電位に接続されている表示板とを備えている表示装置と、
この表示装置における前記表示板の上方で指針が回転する構成のアナログ指針機構と、
を備えていることを特徴とする時計。
【請求項１１】
板状の発光部材と、金属感を付与する材料からなり前記発光部材からの光が出射する多数の出射口が開口されて前記発光部材の上方に配置されている表示板と、この表示板の上方に配置された、加飾された光透過性のフィルム部材とを備えている表示装置と、
この表示装置における前記表示板の上方で指針が回転する構成のアナログ指針機構と、
を備えていることを特徴とする時計。
【請求項１２】
板状の発光部材と、金属感を付与する材料からなり前記発光部材からの光が出射する多数の出射口が開口されて前記発光部材の上方に配置される表示板と、前記出射口に対応した前記表示板の内部に設けられた、金属からなる目隠し壁とを備えている表示装置と、
この表示装置における前記表示板の上方で指針が回転する構成のアナログ指針機構と、
を備えていることを特徴とする時計。
【請求項１３】
板状の発光部材と、金属感を付与する材料からなり前記発光部材からの光が出射する多数の出射口が開口されて前記発光部材の上方に配置されていると共に導電性材料の部分を含み、グラウンド電位に接続されている表示板とを備えている表示装置と、
この表示板の上方に配置された液晶表示部材と、
前記発光部材の下方に配置された時計モジュールと、
を備えていることを特徴とする時計。
【請求項１４】
板状の発光部材と、金属感を付与する材料からなり前記発光部材からの光が出射する多数の出射口が開口されて前記発光部材の上方に配置されている表示板と、前記出射口に対応した表示板の内部に設けられた、金属からなる目隠し壁とを備えている表示装置と、
この表示板の上方に配置された液晶表示部材と、
前記発光部材の下方に配置された時計モジュールと、
を備えていることを特徴とする時計。
【発明の詳細な説明】
【０００１】
【発明の属する技術分野】
本発明は、電子腕時計、電子手帳、携帯電話やポケットベルなどの携帯型通信機器、その他の電子機器に使用される表示装置及び時計に関する。
【０００２】
【従来の技術】
時計の文字板として、半透過性フィルム或いは光透過性のカラーインクによって加飾されたフィルム部材を用いると共に、これらの下方にＥＬ（エレクトロルミネセンス）発光部材が配置された構造の文字板が従来より使用されている。この文字板はＥＬ発光部材が発光することによって照明されるため、明るくなり、夜間、暗闇内での時刻の読み取りを可能とするものである。
【０００３】
又、液晶表示部材を組み込むと共に、夜間や暗闇内での液晶表示部材の表示内容の読み取りを可能とした従来の時計の場合、ＬＳＩが実装された回路基板が上ハウジング及び下ハウジングによって挟まれることにより固定されている。液晶表示部材は、下偏光板、下電極基板、上電極基板及び上偏光板が下から順に積層されることによって形成されており、上ハウジングの上部に配置され、回路基板からの信号が入力されることによって所定の表示を行うようになっている。この時計では、液晶表示部材の照明を行うため、板状のＥＬ発光部材が液晶表示部材の下方に配置されるものである。
【０００４】
以上の他に、電子腕時計では、光電変換素子としての太陽電池を組み込み、太陽電池から時計モジュールに電力を供給することによって作動する構造が開発されている。この時計においては、太陽電池が光を効率良く受光する必要があり、このため文字板部分に太陽電池を配置することがなされている。
【０００５】
【発明が解決しようとする課題】
しかしながら、半透過性フィルムや加飾されたフィルム部材を使用した文字板では、カラー表現が可能であっても、ゴールドやシルバーなどの高級な金属感を表すことができず、時計に高級感を付与することができない不便さがある。又、液晶表示部材の照明が可能な時計においても、同様に金属感を表現することができないものとなっている。文字板部分に太陽電池を配置した時計においても、太陽電池が光沢のない黒色のため、同様に金属感を表すことができない問題を有している。
【０００６】
なお、文字板に金属板を使用して高級感を付与した場合においては、金属板が光を遮断するため、ＥＬ発光部材や太陽電池を設ける意義がなくなり、これらの実用性が消失するものである。
【０００７】
本発明はこのような事情を考慮してなされたものであり、ＥＬ発光部材や太陽電池を組み込んでも、金属感を良好に表すことが可能で、高級感を付与できる表示装置及び時計を提供することを目的とする。
【０００８】
【課題を解決するための手段】
上記目的を達成するため、請求項１の発明の表示装置は、板状の発光部材と、金属感を付与する材料からなり、前記発光部材からの光が出射する多数の出射口が開口されて前記発光部材の上方に配置されているとともに、導電性材料の部分を含み、グラウンド電位に接続されている表示板と、を備えていることを特徴とする。
【０００９】
請求項１の発明の表示装置は、金属感を付与する材料によって表示板が形成されているため、表示板全体の金属感を損なうことがない。このため表示装置全体に高級な金属感を付与することができる。又、発光部材からの光は出射口から出射するため、表示板全体が明るくなり、夜間、暗闇内での読み取りができる。さらに、導電性材料部分を含む表示板がグラウンド電位に接続されることにより、発光部材からのノイズを遮断することができる。
【００１０】
請求項２の発明の表示装置は、板状の発光部材と、金属感を付与する材料からなり、前記発光部材からの光が出射する多数の出射口が開口されて前記発光部材の上方に配置されている表示板と、この表示板の上方に配置された、加飾された光透過性のフィルム部材と、を備えていることを特徴とする。
【００１１】
請求項２の発明の表示装置では、加飾された光透過性のフィルム部材が表示板の上方に配置されることにより光がフィルム部材を透過するため、フィルム部材のデザインを観賞できる。
【００１２】
請求項３の発明の表示装置は、板状の発光部材と、金属感を付与する材料からなり、前記発光部材からの光が出射する多数の出射口が開口されて前記発光部材の上方に配置されている表示板と、前記出射口に対応した表示板の内部に設けられた、金属からなる目隠し壁と、を備えていることを特徴とする。
【００１３】
請求項３の発明の表示装置では、出射口に対応した表示板の内部に金属からなる目隠し壁を設けることにより、出射口部分にも金属が存在するため、出射口が目立つことがないと共に、金属感を損なうことがなくなる。
【００１４】
請求項４の発明の表示装置は、板状の発光部材と、金属感を付与する材料からなり、前記発光部材からの光が出射する多数の出射口が開口されて前記発光部材の上方に配置されているとともに、導電性材料の部分を含み、グラウンド電位に接続されている表示板と、この表示板の上方に配置された液晶表示部材と、を備えていることを特徴とする。
【００１５】
請求項４の発明の表示装置では、液晶表示部材が表示板の上方に配置されており、発光部材が発光していないときは、表示板からの反射光によって明るくなり、表示する情報の読み取りができる。一方、夜間等において、発光部材が発光しているときは、その光が表示板の出射口から出射するため、液晶表示部材の表示する情報の読み取りが可能となる。かかる液晶表示部材は、入力されたデータや計算結果或いは時刻等の各種の情報を表示する。従って、この構造では、時計、電子手帳、携帯用通信機器その他の電子機器に適用することができる。
【００１６】
請求項５の発明の表示装置は、板状の発光部材と、金属感を付与する材料からなり、前記発光部材からの光が出射する多数の出射口が開口されて前記発光部材の上方に配置されている表示板と、前記出射口に対応した表示板の内部に設けられた、金属からなる目隠し壁と、前記表示板の上方に配置された液晶表示部材と、を備えていることを特徴とする。
【００１７】
請求項６の発明の表示装置は、板状の発光部材と、金属感を付与する材料からなり、前記発光部材からの光が出射する多数の出射口が開口されて前記発光部材の上方に配置されているとともに、導電性材料の部分を含み、グラウンド電位に接続されている表示板と、この表示板の上方に配置された、加飾された光透過性のフィルム部材と、を備えていることを特徴とする。
【００１８】
請求項７の発明の表示装置は、板状の発光部材と、金属感を付与する材料からなり、前記発光部材からの光が出射する多数の出射口が開口されて前記発光部材の上方に配置されている表示板と、前記出射口に対応した表示板の内部に設けられた、金属からなる目隠し壁と、前記表示板の上方に配置された、加飾された光透過性のフィルム部材と、を備えていることを特徴とする。
【００１９】
請求項８の発明の表示装置は、板状の発光部材と、金属感を付与する材料からなり、前記発光部材からの光が出射する多数の出射口が開口されて前記発光部材の上方に配置されているとともに、導電性材料の部分を含み、グラウンド電位に接続されている表示板と、前記出射口に対応した表示板の内部に設けられた、金属からなる目隠し壁と、前記表示板の上方に配置された液晶表示部材と、を備えていることを特徴とする。
【００２０】
請求項９の発明の表示装置は、板状の発光部材と、金属感を付与する材料からなり、前記発光部材からの光が出射する多数の出射口が開口されて前記発光部材の上方に配置されているとともに、導電性材料の部分を含み、グラウンド電位に接続されている表示板と、前記出射口に対応した表示板の内部に設けられた、金属からなる目隠し壁と、前記表示板の上方に配置された、加飾された光透過性のフィルム部材と、を備えていることを特徴とする。
【００２１】
請求項１０の発明の時計は、板状の発光部材と、金属感を付与する材料からなり前記発光部材からの光が出射する多数の出射口が開口されて前記発光部材の上方に配置されているとともに、導電性材料の部分を含み、グラウンド電位に接続されている表示板とを備えている表示装置と、この表示装置における前記表示板の上方で指針が回転する構成のアナログ指針機構と、を備えていることを特徴とする。
【００２２】
請求項１０の発明の時計では、アナログ指針機構の指針が回転することによって時刻を表示する。従って、表示板は時計の文字板として機能する。表示板が金属感を付与する材料によって形成されているため、時計に高級な金属感を付与することができる。又、表示板には、光が出射する出射口が形成されているため、発光部材からの光によって夜間、暗闇での時刻の読み取りが可能となっている。さらに、導電性材料部分を含む表示板がグラウンド電位に接続されることにより、発光部材からのノイズを遮断することができる。
【００２３】
請求項１１の発明の時計は、板状の発光部材と、金属感を付与する材料からなり前記発光部材からの光が出射する多数の出射口が開口されて前記発光部材の上方に配置されている表示板と、この表示板の上方に配置された、加飾された光透過性のフィルム部材とを備えている表示装置と、この表示装置における前記表示板の上方で指針が回転する構成のアナログ指針機構と、を備えていることを特徴とする。
【００２４】
請求項１２の発明の時計は、板状の発光部材と、金属感を付与する材料からなり前記発光部材からの光が出射する多数の出射口が開口されて前記発光部材の上方に配置される表示板と、前記出射口に対応した前記表示板の内部に設けられた、金属からなる目隠し壁とを備えている表示装置と、この表示装置における前記表示板の上方で指針が回転する構成のアナログ指針機構と、を備えていることを特徴とする。
【００２５】
請求項１３の発明の時計は、板状の発光部材と、金属感を付与する材料からなり前記発光部材からの光が出射する多数の出射口が開口されて前記発光部材の上方に配置されていると共に導電性材料の部分を含み、グラウンド電位に接続されている表示板とを備えている表示装置と、この表示板の上方に配置された液晶表示部材と、前記発光部材の下方に配置された時計モジュールと、を備えていることを特徴とする。
【００２６】
請求項１３の発明の時計では、表示板の上方に配置された液晶表示部材が表示板からの反射光によって明るくなる一方、発光部材が発光しているときは、その光が表示板の出射口から出射して照明されるため、時刻その他の情報の読み取りが可能となる。従って、金属性の高級感を有し、しかも夜間等における時刻の読み取りが可能となる。
【００２７】
請求項１４の発明の時計は、板状の発光部材と、金属感を付与する材料からなり前記発光部材からの光が出射する多数の出射口が開口されて前記発光部材の上方に配置されている表示板と、前記出射口に対応した表示板の内部に設けられた、金属からなる目隠し壁とを備えている表示装置と、この表示板の上方に配置された液晶表示部材と、前記発光部材の下方に配置された時計モジュールと、を備えていることを特徴とする。
【００３２】
【発明の実施の形態】
図１〜図３は本発明の第１の実施形態を示し、図１はこの実施形態が適用された腕時計の内部構造である。この腕時計は、上部に時計ガラス２が、下部に裏蓋３が取り付けられた時計ケース１と、この時計ケース１内に設けられたアナログ指針機構４とを備えている。アナログ指針機構４は回路基板、電池その他の部品がハウジングに組み込まれた本体部５と、本体部５の中央部分から上方に延びる指針軸６と、この指針軸６に取り付けられた分針、時針等の指針７とを備えている。
【００３３】
アナログ指針機構４の本体部５上面には、板状に成形されたＥＬ発光部材８と、表示板９とが積層状態で載置されている。又、これらのＥＬ発光部材８及び表示板９の中央部分には、貫通穴８ａ、９ａが形成され、これらの貫通穴８ａ、９ａを指針軸６が貫通して上方に延びている。図１において、１０は表示板９の周囲を押さえ付けてこれらを固定する押え部材であり、１１は裏蓋３と時計ケース１の下面との間に設けられたシール部材である。
【００３４】
このような構造において、ＥＬ発光部材８及びその上部に積層された表示板９によって表示装置としての文字板１２が構成されるものであり、ＥＬ発光部材８はアナログ指針機構４の回路基板から発光用信号が入力されることによって発光する。
【００３５】
表示板９は金属感を付与する材料によって形成されている。このため、少なくとも、その上面が金属によって形成されている。かかる表示板９としては、例えば、全体を金属板としても良く、樹脂板を金属メッキしても良い。又、金属板をさらにメッキすることによって明るさや金属カラーを付与したものであっても良い。この表示板９の上面には、時字、その他の文字等を印刷することができ、これにより時刻を表する文字板としての機能を備えている。このように金属感を付与する材料によって表示板９を形成することによって、金属感を表現でき、腕時計に高級感を付与することができる。この場合、ゴールド、シルバー等の高級金属色をメッキすることにより、さらに高級感を付与することができ、製品価値が増大する。
【００３６】
図２は全体が金属によって形成された表示板９を示し、多数条の出射口１３が貫通穴９ａを中心として放射状に形成されている。この出射口１３は図３に示すように、細径となっていると共に、表示板９の径方向に断続状態で延びている。このような形状の出射口１３は、表示板９をエッチングすることにより形成されるものである。
【００３７】
かかる出射口１３には、表示板９を厚さ方向に貫通する光通路（図示省略）が連通しており、これにより下方のＥＬ発光部材８からの光が出射口１３から出射する。この光の出射によって表示板９の上面全体が明るくなって、暗闇や夜間における時刻の読み取りが可能となる。又、出射口１３は細径であり、表示板９全体の面積に比べて少ないため、表示板９の金属感を損なうことがない。このため、ＥＬ発光部材８が発光したときは、金属の文字板として認識されるため、高級感を付与することができる。
【００３８】
図４及び図５は表示板９の別の形態を示し、出射口１３が細径の円弧状に形成されている。又、出射口１３は、その多数が貫通穴９ａを中心とした同心円状に配置されている。この場合にも、出射口１３は表示板９を厚さ方向に貫通する光通路に連通しているため、ＥＬ発光部材８からの光を出射することができ、図２及び図３と同様な作用を有している。
【００３９】
以上の図２〜図５に示す多数の出射口１３は表示板９の上面に規則的な模様を形成しており、出射口１３の全体で表示板９上面の意匠を形成している。このため表示板９に美装性が付与され、表示装置としての文字板１２の外観が向上している。なお、以上のような出射口１３が形成する意匠は、図示する以外の模様、絵柄であっても良い。
【００４０】
図６は本発明の第２の実施形態を示し、上述した実施形態と同一の要素は同一の符号で対応させてある。この実施形態においては、ＥＬ発光部材８上に表示板９が配置されると共に、表示板９上にフィルム部材１４が配置されることによって、表示装置としての文字板１２が形成されている。フィルム部材１４は、光透過性を有していると共に、模様、絵柄、文字等が印刷されることによって加飾が施されている。なお、フィルム部材１４の中央部分には、指針軸６が貫通する貫通穴１４ａが形成されている。
【００４１】
表示板９としては、図２〜図５と同様に、細径の出射口１３が意匠をなすように形成されてたものが使用されている。このように加飾されたフィルム部材１４を表示板９の上方に配置することによって、表示板９の意匠に加えて、フィルム部材１４の加飾を観賞でき、趣味性が向上して、文字板１２の商品価値が向上する。なお、フィルム部材１４としては、光透過性を有したカラーフィルムであっても良く、このフィルムを使用することによって、カラーメタリック感を付与することができる。
【００４２】
図７及び図８は、本発明の第３の実施形態を示す。この実施形態では、ＥＬ発光部材８の上方に配置される表示板９の全体が金属によって形成されており、その上面には、スリット状の多数の出射口１３が多列状に設けられている。
【００４３】
又、表示板９の内部における出射口１３との対応部位には、目隠し壁１５が設けられている。目隠し壁１５は表示板９の一部となっており、従って、目隠し壁１５は金属によって構成されている。このように出射口１３と対応する表示板９の内部に金属からなる目隠し壁１５を設けることによって、出射口１３部分からも金属が見えるため、表示板９全体が金属として感受でき、金属感を表すことができる。
【００４４】
さらに、隣接する目隠し壁１５の間は、出射口１３と同様にスリット状に開口されることによって、光の入射口１６となっており、この入射口１６がＥＬ発光部材８に面している。そして、表示板９の内部には、入射口１６と出射口１３とを連通するジグザグ状の光通路１７が形成されており、ＥＬ発光部材８が発光した光が、図８の矢印で示すように、入射口１６から光通路１７を介して出射口１３に達し、出射口１３から上方に出射する。この光の出射によって表示板９が明るくなるため、暗闇内での時刻の読み取りを行うことができる。
【００４５】
かかる実施形態における位置ズレした出射口１３、入射口１５の形成は、表示板９をハーフエッチングすることによって行うことができる。すなわち、表示板９の上面からハーフエッチングを行って出射口１３を形成し、その後、表示板９の下面からハーフエッチングを行って出射口１３と位置ズレした入射口１６を形成する。この上下面からのハーフエッチングにおいては、エッチング量をオーバーラップさせ、出射口１３、入射口１６とを連通するジグザグ状の光通路１７を作製するものである。
【００４６】
本発明においては、図示を省略するが、表示板９の下方に太陽電池を配置することができる。これは図１におけるＥＬ発光部材８に代えて、太陽電池とすることにより可能となる。この場合、表示板９は以上の実施形態と同様な構造のものが使用されるが、その出射口１３が光の入射口となり、光の入射によって太陽電池が光電変換を行い、時計内部の部品へ電力供給を行うことができる。この場合にも、出射口１３を細径とすることによって、表示板９の金属感が損なわれることがなく、高級感を付与できる。
【００４７】
図９〜図１２は、本発明の第４の実施形態であり、図９及び図１０はそのモジュール２０を示す。モジュール２０は、地板２１によって組み付けられた上ハウジング２２及び下ハウジング２３と、上下のハウジング２２、２３に保持された回路基板２４と、上ハウジング２２に取り付けられたＥＬ発光部材８、表示板２５及び液晶表示部材２６とを備えている。
【００４８】
上ハウジング２２及び下ハウジング２３の組み付けは、下ハウジング２３下面に地板２１を当接すると共に、この当接部分から上方に立ち上がるフック部２１ａを上ハウジング２２に係止することによって行われる。なお、下ハウジング２３には、釦型の電池２７が挿入されており、この電池２７から回路基板２４に電力が供給されるようになっている。
【００４９】
回路基板２４は、上ハウジング２２及び下ハウジング２３に挟持されることによって固定されている。この回路基板２４には、時計全体の作動を制御するＬＳＩ等の制御チップ２８が実装されており、ＥＬ発光部材８及び液晶表示部材２６の作動を行うための信号をこれらに出力する。
【００５０】
ＥＬ発光部材８、表示板２５及び液晶表示部材２６は、いずれも上ハウジング２２の中央部分に形成された凹部２２ａ内に配置されている。これらは、下からＥＬ発光部材８、表示板２５、液晶表示部材２６の順で上下方向に配置されており、ＥＬ発光部材８が発光することによ表示板２５を介して液晶表示部材２６が照明される。
【００５１】
液晶表示部材２６は、下偏光板３０、下電極基板３１、上電極基板３２及び上偏光板３３が順に積層されると共に、電極基板３１、３２の間に液晶材（図示省略）が封入されることにより形成されている。上下の偏光板３０、３３及び上下の電極基板３１、３２はいずれも透明材料が使用されており、全体が透明となっている。上電極基板３２は両端部が下電極基板３１よりも外方に突出するように長くなっており、この延設部分の下面に電極（図示省略）が形成されて回路基板２４の電極（図示省略）と電気的に接続されている。回路基板２４との接続は、導電性ゴム、異方性ゴム等からなる弾性を有したインターコネクタ２９を、上述した電極間に配置することによってなされる。この接続によって、液晶表示部材２６は入力データ、記憶データ、計算結果、時刻等の各種の情報を表示する。従って、このモジュール２０は、電子手帳、電子時計、携帯通信機器、ゲーム機その他の電子機器に適用することができる。
【００５２】
表示板２５は、かかる液晶表示部材２６の下方に配置されている。表示板２５は、全体が金属によって形成されており、それ自体で金属色を有している。又、表示板２５に対しては、ゴールド、シルバー等のメッキを施しても良い。さらに、表示板２５としては、樹脂板に金属メッキを施したものであっても良い。
【００５３】
図１１は、表示板２５を示し、下方のＥＬ発光部材８全体を覆う形状に成形されている。同図において、ハッチングで示す部分は、出射口形成部位３４であり、多数の出射口３５が形成される。この実施形態における出射口３５は、表示板２５の板厚方向に貫通する小径の貫通孔からなり、図１２に示すように、前後及び左右方向に均一な密度となるように分散している。
【００５４】
このように金属からなる表示板２５或いは、金属又は樹脂にゴールド、シルバー等のメッキが施された表示板２５を液晶表示部材２６の下方に配置することにより、表示板２５からの反射光によって液晶表示部材２６が明るくなるため、表示する情報の読み取りが容易となると共に、金属色で認識されるため、高級感を付与することができる。又、ＥＬ発光部材８が発光した場合は、その光が出射口３５を通過して液晶表示部材２６を照明するため、夜間、暗闇での情報の読み取りを行うことができる。特に、この実施形態では、出射口３５が表示板２５の全体に均一に形成されて、むらなく均一に照明できるため、情報が読み取り易くなるメリットがある。
【００５５】
図１３〜図１５は、この実施形態における表示板２５の別の形態であり、図１３に示すように、細線ハッチングで示す第１の出射口形成部位３６と、太線ハッチングで示す第２の出射口形成部位３７とに区分けされている。第１の出射口形成部位３６には、図１４で示すように、小径の貫通孔からなる出射口３５が粗密度となるように前後及び左右方向に分散している。
【００５６】
これに対し、第２の出射口形成部位３７には、図１５で示すように、隣接する出射口３５が接近することにより精密度となるように出射口３５が形成されている。又、この第２の出射口形成部位３７は、図１３で示すように、第１の出射口形成部位３６の内方に、文字「Ｇ」を模したマークを形成するように配置されている。このような形態では、第１及び第２の出射口形成部位３６、３７を透過する光の透過密度が異なっており、ＥＬ発光部材８が発光すると、精密度の出射口３５を有する第２の出射口形成部位３７が「Ｇ」を表示する。このため、使用上の趣味性が向上する。
【００５７】
なお、光の透過密度を異ならせることによって表示するものとしては、文字以外の模様、マーク等の意匠であっても良い。又、出射口３５を形成することのない部位を表示板２５に形成して、光の透過密度を異なるようにしても良い。
【００５８】
図１６は、電子腕時計に適用した本発明の第５の実施形態を示す。この実施形態では、制御チップ２８が実装された回路基板２４、ＥＬ発光部材８、表示板２５及び液晶表示部材２６がハウジング４１に組み付けられることによって時計モジュール４２が形成されている。この時計モジュール４２は、時計ケース１の裏側から同ケース１内に挿入され、その後、時計ケース１に裏蓋３を被せることによって時計ケース１内に収容される。
【００５９】
ＥＬ発光部材８及び液晶表示部材２６は、回路基板２４から信号が入力されることによって作動する。このため、ＥＬ発光部材８は導電性のコイルばね４３によって回路基板２４と接続されて発光し、液晶表示部材２６はインターコネクタ２９によって回路基板２４と接続されて情報を表示する。
【００６０】
表示板２５は、全体が金属或いはゴールド、シルバー等がメッキされた金属からなり、第４の実施形態と同様に出射口３５（図１２、１４、１５参照）が形成されている。このため、表示板２５は、第４の実施形態と同様に作用する。これに加えて、この実施形態では、回路基板２４にグラウンド電極４５がパターン形成されると共に、このグラウンド電極４５と表示板２５とが導電性コイルばねからなるグラウンド接続部材４４によって電気的に接続されている。この接続によって表示板２５は、グラウンド電位に接続される。このため、表示板２５は下方のＥＬ発光部材８からのノイズを遮断することができ、ノイズによる液晶表示部材２６への悪影響がなくなる。これにより、液晶表示部材２６が良好に情報を表示することができる。
【００６１】
図１７は、本発明の第６の実施形態を示す。この実施形態では、表示板９の下側に太陽電池５０が積層状態で配置されるものであり、その他の部材は図１及び図６と同様となっており、これらの図と同一の符号により対応させてある。又、この実施形態のアナログ指針機構４は、その指針軸６が太陽電池５０の貫通穴５０ａ及び表示板９の貫通穴９ａを貫通しており、指針軸６に取り付けられた指針７が表示板９の上方で回転して時刻を表示する。このアナログ指針機構４の駆動は、太陽電池５０によって供給される電力により行われる。
【００６２】
表示板９としては、図２〜図５及び図１１〜図１５に示す出射口１３又は３５を有した構造のものを使用するが、これらの出射口１３、３５は外部光が入射する入射口として作用する。従って、光が表示板９を透過して太陽電池５０に入射するため、光電変換により太陽電池５０が発電を行うことができる。
【００６３】
又、この実施形態では、上方で指針７が回転する表示板９は文字板として機能している。この表示板９としては、上述した実施形態１〜５と同様に金属感を付与する材質によって形成されるものである。このため、金属を使用したと同様な高級感を表現することができる。
【００６４】
図１８は、本発明の第７の実施形態を示す。この実施形態は、基本的には図１０に示す第４の実施形態と同様となっており、同一の部材には同一の符号で対応させてある。この実施形態では、表示板２５の下方に太陽電池５０が配置されている。太陽電池５０は、光電変換によって発電を行い、その電力を回路基板２４に供給する。このため、電池２７の消耗を抑制することができる。
【００６５】
又、表示板２５の上方には、液晶表示部材２６が配置されている。表示板２５には、図１１〜図１５に示すと同様に多数の出射口３５が貫通するように形成されるが、この実施形態では、出射口３５は外部光が入射する入射口として機能している。これにより、外部光が太陽電池５０に良好に入射するため、太陽電池５０が発電を行うことができる。又、表示板２５は、第４の実施形態と同様に、金属又は金属感を付与する材質によって形成されており、金属感を表現することができ、高級感を付与することが可能となっている。
【００６６】
【発明の効果】
以上説明したように、本発明によれば、表示板が金属感を付与する材料によって形成されているため、発光部材の発光の有無にかかわらず、高級な金属感を有したものとすることができる。又、表示部材は発光部材からの光が出射する出射口を有しているため、発光部材の発光時に出射口を通して出射された光により表示板の全体或いは液晶表示部材が明るくなる。このため、夜間、暗闇内での時刻等の読み取りができる。
【００６７】
又、加飾された光透過性のフィルム部材を設けた場合には、フィルム部材のデザインを観賞でき、出射口が表示板上面の意匠を形成することにより、趣味性が向上し、さらには、出射口に対応する目隠し壁を設けることによって、出射口が目立つことがなく、金属感を損なうことがなくなる。
【００６８】
さらに、表示板が導電性材料の部分を含む場合には、表示板をグラウンド電位に接続することにより、発光部材からのノイズを遮断することができる。このため、液晶表示部材への悪影響を防止することができる。
【図面の簡単な説明】
【図１】本発明の第１の実施形態が適用された腕時計の部分断面図である。
【図２】出射口を設けた表示板の平面図である。
【図３】図２の拡大平面図である。
【図４】別の出射口を設けた表示板の平面図である。
【図５】図５の拡大平面図である。
【図６】第２の実施形態の部分断面図である。
【図７】第３の実施形態の斜視図である。
【図８】図７の断面図である。
【図９】第４の実施形態の正面図である。
【図１０】図９におけるＡ−Ａ線断面図である。
【図１１】第４の実施形態の表示板の正面図である。
【図１２】図１１の部分拡大正面図である。
【図１３】表示板の別の形態の正面図である。
【図１４】第１の出射口形成部位の部分拡大正面図である。
【図１５】第２の出射口形成部位の部分拡大正面図である。
【図１６】第５の実施形態の断面図である。
【図１７】第６の実施形態の部分断面図である。
【図１８】第７の実施形態の断面図である。
【符号の説明】
１          時計ケース
２          時計ガラス
３          裏蓋
４          アナログ指針機構
８          ＥＬ発光部材
９  ２５    表示板
１２        文字板
１３  ３５  出射口
２６        液晶表示部材
３４        出射口形成部位
３６        第１の出射口形成部位
３７        第２の出射口形成部位
４４        グラウンド接続部材
５０        太陽電池
【図１】
0003651190.tif 000002
【図２】
0003651190.tif 000003
【図３】
0003651190.tif 000004
【図４】
0003651190.tif 000005
【図５】
0003651190.tif 000006
【図６】
0003651190.tif 000007
【図７】
0003651190.tif 000008
【図８】
0003651190.tif 000009
【図９】
0003651190.tif 000010
【図１０】
0003651190.tif 000011
【図１１】
0003651190.tif 000012
【図１２】
0003651190.tif 000013
【図１３】
0003651190.tif 000014
【図１４】
0003651190.tif 000015
【図１５】
0003651190.tif 000016
【図１６】
0003651190.tif 000017
【図１７】
0003651190.tif 000018
【図１８】
0003651190.tif 000019